(57)【要約】【課題】像担持体と、像担持体から現像剤像が転写される転写媒体と、の間の剥離放電放電を抑制することで、剥離放電に起因する画像不良を回避することが可能な画像形成装置を提供する。【解決手段】現像剤像を担持する像担持体１と、像担持体１に対向する位置に設けられ、像担持体１から現像剤像が転写される転写媒体５と、像担持体１と転写媒体５との対向部に近接し、像担持体１から転写媒体５に現像剤像を転写する転写部材８と、転写部材８に転写バイアスを印加する電圧印加手段２１と、を有する画像形成装置において、転写部材８は、周囲の温度、湿度により電気抵抗が変動する特徴をもつ弾性ローラであり、高温高湿状態での電気抵抗をＲｈ、低温低湿状態での電気抵抗をＲｌとすると、転写部材８と電圧印加手段２１との間に、Ｒｈ＜Ｒ＜Ｒｌを満たす電気抵抗Ｒを介する。【選択図】　　　　図１
2004062087.tif 000002
【特許請求の範囲】
【請求項１】
現像剤像を担持する像担持体と、該像担持体に対向する位置に設けられ、該像担持体から前記現像剤像が転写される転写媒体と、前記像担持体と前記転写媒体との対向部に近接し、前記像担持体から前記転写媒体に前記現像剤像を転写する転写部材と、該転写部材に転写バイアスを印加する電圧印加手段と、を有する画像形成装置において、
前記転写部材は、周囲の温度、湿度により電気抵抗が変動する特徴をもつ弾性ローラであり、高温高湿状態での電気抵抗をＲｈ、低温低湿状態での電気抵抗をＲｌとすると、前記転写部材と前記電圧印加手段との間に、
Ｒｈ＜Ｒ＜Ｒｌ
を満たす電気抵抗Ｒを介することを特徴とする画像形成装置。
【請求項２】
前記像担持体は、表面に現像剤像が形成される感光体であり、前記転写媒体は、前記感光体から前記現像剤像が一次転写される中間転写体であり、該中間転写体に一次転写された前記現像剤像は、前記中間転写体から記録材に二次転写されることを特徴とする請求項１の画像形成装置。
【請求項３】
前記像担持体は、表面に現像剤像が形成された感光体から前記現像剤像が一次転写される中間転写体であり、前記転写媒体は、前記中間転写体から前記現像剤像が二次転写される記録材であることを特徴とする請求項１の画像形成装置。
【請求項４】
前記像担持体は、表面に現像剤像が形成される感光体であり、前記転写媒体は前記像担持体から前記現像剤像が転写される記録材であることを特徴とする請求項１の画像形成装置。
【請求項５】
前記高温高湿状態及び前記低温低湿状態は、画像形成装置の使用上の上限温湿度状態及び下限温湿度状態であることを特徴とする請求項１〜４のいずれかの項に記載の画像形成装置。
【発明の詳細な説明】
【０００１】
【発明の属する技術分野】
本発明は、電子写真方式或いは静電記録方式を用いて像担持体上に現像剤像を形成し、該現像剤像を中間転写体や記録材に転写することによって記録材上に画像を形成する、複写機、プリンタ等の画像形成装置に関するものである。
【０００２】
【従来の技術】
従来、例えば、電子写真方式の画像形成装置において、第一の像担持体としてのドラム型の電子写真感光体（感光ドラム）に形成した現像剤像（トナー像）を一旦中間転写体上に転写（一次転写）して、その後第二の像担持体である中間転写体上のトナー像を記録用紙などの記録材上に二次転写する中間転写方式がある。
【０００３】
このような中間転写方式では、例えば、フルカラー画像を形成する際に、感光ドラムに対して複数の現像装置を用いて複数色のトナー像を順次形成し、このトナー像を中間転写体に一次転写する工程を複数回繰り返し、中間転写体上に複数色のトナー像を重ねた後、この複数色のトナー像を記録材に一括して二次転写することができる。
【０００４】
中間転写体としては、複数のローラに掛け渡されて無端移動するベルト状の中間転写体、即ち、中間転写ベルトがある。図７は、従来の、中間転写ベルト５を用いた画像形成装置の一例の概略構成を示す。
【０００５】
中間転写ベルト５としては、近年、低コスト化へのメリットの非常に高い、ＰＶＤＦ（ポリフッ化ビニリデン）、ナイロン、ＰＥＴ（ポリエチレンテレフタレート）、ポリカーボネートなどの樹脂フィルム（必要に応じて電気抵抗調整がなされている）を無端状に形成し、１００μｍ程度に薄膜化たものが主流となってきている。図７の画像形成装置では、中間転写ベルト５は、背面ローラ１６、駆動ローラ１７、テンションローラ１８等に掛け渡される。
【０００６】
中間転写ベルト５を挟んで感光ドラム１と対向する位置には、感光ドラム１に形成したトナー像を中間転写ベルト５に転写するための一次転写手段として、例えば転写部材として一次転写ローラ８を用いたものが配置される。一次転写ローラ８には、転写工程時に転写バイアスが印加される。
【０００７】
中間転写ベルト５を挟んで背面ローラ１６と対向する位置には、中間転写ベルト５から記録材Ｐにトナー像を転写するための二次転写手段として、例えば転写部材として二次転写ローラ９を用いたものが配置される。二次転写ローラ９には、二次転写行程時に転写バイアスが印加される。
【０００８】
ところで、このような一次転写ローラ８等の接触型転写部材を用いた接触転写方式においては、環境変化（温度変化、湿度変化）により一次転写ローラ８、中間転写ベルト５、感光ドラム１等の特性が変化することで、それに対応して出力画像の品質が変化しやすい。
【０００９】
そこで現在、この接触転写法における環境特性を改善する転写バイアス制御方法として、所謂ＰＴＶＣ（Ｐｒｏｇｒａｍａｂｌｅ　Ｔｒａｎｓｆｅｒ　Ｖｏｌｔａｇｅ　Ｃｏｎｔｒｏｌｅ）制御法が使用されている。
【００１０】
これは転写部材となる転写ローラに印加する電圧をデジタル的に増減させる手段と、転写ローラから感光ドラムに流入する電流が所望の値に達しているか否かを判断する手段と、を用いて、環境に影響されずに転写ローラから感光ドラムに流入する電流を一定値となるような電圧を選択して印加することを可能としている。
【００１１】
【発明が解決しようとする課題】
しかしながら、従来の画像形成装置では、例えば図７の画像形成装置においては、一次転写ローラ８ニップ下流領域、即ち、感光ドラム１と、中間転写ベルト５の分離部において剥離放電が発生する、といったような問題が生じた。
【００１２】
この剥離放電は、画像品質において様々な悪影響を及ぼす。本従来例の構成においては、中間転写ベルト５上のトナー像は上記剥離放電による過電流により、トリボムラが発生するが、このトリボムラの生じたトナー像は、二次転写工程の際にムラ状に記録材に選択転写され、画像品質の低下を招くこととなる。
【００１３】
特に、高温高湿状態のようなトナートリボの低い状態では、トリボムラは発生しやすい。また、上述の剥離放電は、その他水玉状の画像不良も発生させる。
【００１４】
又、こうした剥離放電は、図７の画像形成装置においては、二次転写ローラ９ニップ下流領域、即ち、中間転写ベルト５と記録材との分離部においても、記録材の分離時に発生し、剥離放電によって引き起こされる、鮫肌や水玉状の画像不良を発生させる。
【００１５】
従って、本発明の目的は、像担持体と、像担持体から現像剤像が転写される転写媒体と、の間の剥離放電放電を抑制することで、剥離放電に起因する画像不良を回避することが可能な画像形成装置を提供することである。
【００１６】
【課題を解決するための手段】
上記目的は本発明に係る画像形成装置にて達成される。要約すれば、本発明は、現像剤像を担持する像担持体と、該像担持体に対向する位置に設けられ、該像担持体から前記現像剤像が転写される転写媒体と、前記像担持体と前記転写媒体との対向部に近接し、前記像担持体から前記転写媒体に前記現像剤像を転写する転写部材と、該転写部材に転写バイアスを印加する電圧印加手段と、を有する画像形成装置において、
前記転写部材は、周囲の温度、湿度により電気抵抗が変動する特徴をもつ弾性ローラであり、高温高湿状態での電気抵抗をＲｈ、低温低湿状態での電気抵抗をＲｌとすると、前記転写部材と前記電圧印加手段との間に、
Ｒｈ＜Ｒ＜Ｒｌ
を満たす電気抵抗Ｒを介することを特徴とする画像形成装置を提供する。
【００１７】
【発明の実施の形態】
以下、本発明に係る画像形成装置を図面に則して更に詳しく説明する。
【００１８】
実施例１
図１は、本発明に係る画像形成装置の一実施例の概略構成を示す。本実施例において、画像形成装置１００は、電子写真方式を用いたカラー画像形成装置であり、第一の像担持体としての感光ドラム上にイエロー、マゼンタ、シアン、黒の各色成分に分解された画像情報に従って形成した各色の現像剤像（トナー像）を、転写媒体又は第二の像担持体としての中間転写体上に一次転写して一旦重ねた後、記録材に二次転写する中間転写方式を採用している。
【００１９】
先ず、本実施例の画像形成装置の全体構成及び動作を説明する。
【００２０】
画像形成装置１００は、第一の像担持体であるドラム型の電子写真感光体（感光体）、即ち、感光ドラム１を有している。感光ドラム１は、駆動手段（図示せず）によって図示矢印Ａ方向に駆動され、帯電手段である一次帯電器２により一様に帯電される。次いで、露光装置３より、イエロー色の画像情報に従ったレーザ光Ｌが感光ドラム１に照射され、感光ドラム１上に潜像が形成される。更に感光ドラム１が矢印Ａ方向に進むと、イエロー色現像装置４ａが感光ドラム１に対向するように、現像装置４ａを支持する不図示の回転支持体が回転する。こうして選択されたイエロー色現像装置４ａによって、イエロー色の画像情報に従って感光ドラム１表面に形成された潜像が現像剤像（トナー像）として可視化される。
【００２１】
感光ドラム１の回転方向の現像位置より下流側において、第二の像担持体且つ転写媒体としての中間転写体である、複数のローラに掛け渡されて無端移動する中間転写ベルト５が配置されている。本実施例において、中間転写ベルト５は、背面ローラ１６、駆動ローラ１７、テンションローラ１８に掛け渡された無端ベルト状のフィルムであり、感光ドラム１と略同周速で図示矢印Ｂ方向に移動（回転）する。
【００２２】
中間転写ベルト５を挟んで感光ドラム１と対向する位置に、一次転写手段の転写部材として一次転写ローラ８が配置され、一次転写ニップ部を形成している。そして、感光ドラム１、中間転写ベルト５の回転に伴い、一次転写ローラ８に転写バイアスを印加することによって、感光ドラム１上に形成担持されたトナー像を中間転写ベルト５の外周面に一次転写する。
【００２３】
以上の行程をマゼンタ色、シアン色、黒色についても同様に行うことによって、中間転写ベルト５上に複数色の複合トナー像、例えばフルカラー画像の場合イエロー色、マゼンタ色、シアン色、黒色の４色の複合トナー像が重ねて形成される。
【００２４】
次いで、不図示の給紙手段から、中間転写ベルト５を挟んで二次転写手段の転写部材としての二次転写ローラ９と背面ローラ１６とが対向する二次転写ニップ部に、所定のタイミングにて記録材Ｐが供給される。同時に、二次転写ローラ９に転写バイアスが印加され、中間転写ベルト５から記録材Ｐへトナー像が転写される。
【００２５】
記録材Ｐは不図示の定着装置まで搬送され、記録材Ｐに転写されたトナー像は記録材Ｐに溶融固着される。その後、記録材Ｐは装置外に排出される。こうして、カラー画像が得られる。
【００２６】
又、記録材Ｐに転写されずに中間転写ベルト５に残留した現像剤（転写残トナー）は、中間転写体クリーニング手段であるクリーニングローラ１５により電荷が付与され、次回の一次転写時に感光ドラム１に逆転写される。一方、感光ドラム１に付着した現像剤（転写残トナー）は、感光体クリーニング手段であるクリーニングブレード７によって除去される。
【００２７】
次に、本発明の特徴部分として、本実施例では一次転写構成を更に詳しく説明する。尚、本発明は、現像剤像（トナー像）を担持する像担持体から、像担持体に転写部材にて転写媒体にトナー像を転写する転写機構について適用されるものであるが、本実施例では、像担持体を、上記のような工程を経て表面にトナー像が形成される感光ドラム１とし、像担持体からトナー像が転写される転写媒体を、中間転写ベルト５として、転写部材としての一次転写ローラ８を用いた一次転写構成を例にして説明する。
【００２８】
転写部材である一次転写ローラ８としては、ＥＰＤＭ、ウレタンゴム、ヒドリンゴム等を発泡加硫させた弾性ローラを用い、抵抗値は１×１０８Ωに調整したイオン導電性のものを用いている。
【００２９】
近年提案された、転写部材として使用される転写ローラは、導電性の芯金の外周面に弾性層を設け、この弾性層に導電性を付与させている。転写ローラはこの導電性を付与させる方法により、電子導電性転写ローラと、イオン導電性転写ローラと、に大きく分けられる。
【００３０】
電子導電性転写ローラは、弾性層に導電性フィラーを分散させたものであり、例として、カーボンや金属酸化物等の導電性フィラーを分散させたＥＰＤＭローラやウレタンローラを挙げることができる。
【００３１】
イオン導電性転写ローラは弾性層にイオン導電系の材料を含むもので、例として、ＮＢＲやウレタン等の材料自身に導電性を持たせたものや、界面活性剤を弾性層に分散させたものが挙げられる。
【００３２】
イオン導電性転写ローラは、電子導電性転写ローラに比べて遥かに均一な電気伝導特性を有するため、微小領域における抵抗ムラもほとんどなく、転写電流の過不足領域の混在による不良画像が発生しないことが分かっている。従って、近年コンピュータの画像処理能力が向上するにつれ、ハーフトーン画像をプリントする需要も高まっており、イオン導電性転写ローラは今後のプリンタ市場における発展が期待されている。
【００３３】
しかしながら、イオン導電性転写ローラは、電子導電性転写ローラに比べて安定した抵抗の電圧依存性、抵抗周ムラ特性等を有する反面、基材に含まれる導電性有機イオンの活性状態が反映されるため、雰囲気環境の温湿度により大きな変動を受けやすく、低温低湿である場合に導電性が低い、つまり抵抗値が高いことが一般的である。又、イオン導電性転写ローラは電子導電性転写ローラよりも抵抗値環境変動率が大きいことが知られている。
【００３４】
本実施例では、イオン導電性の一次転写ローラ８を使用するが、本発明は、それに限定されずに、周囲の温度、湿度により電気抵抗が変動する特徴をもつ弾性ローラを転写部材として用いるものに対して適用する。
【００３５】
本実施例における一次転写ローラ８は、図２に示す環境変動を示す。図２において、高温高湿状態（ＨＨ状態）は本実施例における画像形成装置の使用上限温湿度であり、３０℃／８０％ＲＨである。低温低湿状態（ＬＬ状態）は本実施例における画像形成装置の使用下限温湿度であり、１５℃／１０％ＲＨである。図２に示すように、本実施例における一次転写ローラ８は、高温高湿状態では電気抵抗が下がり、低温低湿になるほど電気抵抗は上昇する。そして、その変動は１０ＭΩから１０００ＭΩの範囲内である。
【００３６】
一次転写ローラ８に転写バイアスを印加する電圧印加手段である電源２１は、このような一次転写ローラ８の環境特性等を鑑みて設計されている。
【００３７】
一次転写ローラ８には、電源２１より転写バイアスが印加される。この電源２１は、一次転写ローラ８に対して定電圧制御が行なえる。即ち、一次転写ローラ８の定電圧制御時の出力電流値を検知可能な検知装置を備えている。
【００３８】
一次転写ローラ８のバイアス制御法はＰＴＶＣ制御法を用いている。図３のブロック回路図において、一次転写バイアスを制御するＣＰＵ３０のＯＵＴ端子より所望の一次転写出力電圧に対応したパルス幅を持つＰＷＭ（Ｐｕｌｓｅ　Ｗｉｄｔｈ　Ｍｏｄｕｌａｔｉｏｎ）信号を出力する。実際にはパルス幅に応じた一次転写出力電圧テーブル（不図示）をＣＰＵ３０にメモリしておく。
【００３９】
このＰＷＭ信号は、ローパスフィルター（Ｌｏｗ　Ｐａｓｓ　Ｆｉｌｔｅｒ）２３により直流電圧化され、アンプ２４により増幅されて一次転写出力電圧Ｖｔとなり、一次転写ローラ８に印加される。このとき流れた電流Ｉｔに対応した信号がＣＰＵ３０のＩＮ端子に入力され、ＣＰＵ３０内で検知される。
【００４０】
定電圧制御は、ＣＰＵ３０からのＰＷＭ信号のパルス幅を徐々に上げていき、ＣＰＵ３０のＩＮ端子に入ってくる信号が所望の電流値に対応した値になるまで継続し、その後、定電流値変化に伴って電圧（パルス幅）を追従させて定電流制御を行なう。
【００４１】
このような、ＰＴＶＣ制御を行なうことで、一次転写において必要な電流値を、周辺環境に影響された一次転写ローラ８の抵抗変化に関わらず、一定に制御することが可能となる。
【００４２】
そして、本実施例においては、従来例で問題になっていた、一次転写ローラ８の下流側における、中間転写ベルト５と感光ドラム１の剥離放電による画像不良を解決すべく、電源２１と一次転写ローラ８の間に電気抵抗Ｒを介した。
【００４３】
以下にその効果について検証実験を行なった。
【００４４】
実験例１
本実験例では、電源２１と一次転写ローラの間に介する抵抗をＲ＝１、１０、５０、１００、５００ＭΩの５種類にて、それぞれの状態における剥離放電不良画像の発生状況を確認した。
【００４５】
その結果、上記抵抗を介した状態で、特に剥離放電が問題となるＨＨ状態の画像不良について確認を行なった結果を表１にまとめた。
【００４６】
【表１】
2004062087.tif 000003
【００４７】
上表から５０ＭΩの抵抗を介した状態から徐々に効果が見られ、１００ＭΩ以上の抵抗値では、画像不良が無くなるのが判る。
【００４８】
実験例２
次に、実験例１で行なった抵抗のうち１０、５０、１００ＭΩを介した状態において、一次転写ローラ８を介して感光ドラム１に流れる電流を１ｋΩの抵抗間電圧をオシロスコープ（Ｔｅｋｔｒｏｎｉｋｓ社製ＴＤＳ７５４Ｄ）で測定することで観察を行なった。
【００４９】
図４、５、６に結果を示す。一次転写ローラ８と中間転写ベルト５との間に介する抵抗が、図４では１０ＭΩ、図５では５０ＭΩ、図６では１００ＭΩのものの、オシロスコープで観察した、一次転写ローラ８に流れる電流の波形を示す。
【００５０】
これらの図より、抵抗Ｒを大きくするにつれ、一次転写ローラ８に流れる電流が安定する。即ち、剥離放電による過電流を抑制していることが確認できる。
【００５１】
その効果としては、実験例１の画像確認からも相関がとれ、図５に示す５０ＭΩ程度から効果が現われ、図６に示す１００ＭΩの場合は過電流が完全に抑制されている。
【００５２】
以上の実験例１、２の実験結果と一次転写ローラ８の抵抗値との関係を考察すると、一次転写ローラ８のＨＨ状態における抵抗値より大きい抵抗Ｒを電源２１との間に介することにより、中間転写ベルト５と、感光ドラム１との剥離放電による過電流を抑制する効果があることが判る。
【００５３】
即ち、一次転写ローラ８と電源２１との間に介する電気抵抗Ｒの値としては、ＨＨ状態の一次転写ローラ８の抵抗値をＲｈとすると、式（１）の関係を満たすことで、本実施例の効果が確認できる。
Ｒｈ＜Ｒ　　　　　　　　　　　　　　　　　　　　　　　　　　　　　（１）
【００５４】
しかしながら、前記電気抵抗Ｒを大きくすると、電源２１のトランス容量を大きくする必要が発生する。トランス容量を大きくすること自体、コストアップにつながるため好ましくはない。この問題に影響を及ぼさないためには、電気抵抗Ｒの値としては、一次転写ローラの抵抗値が最大となるＬＬ状態における抵抗値をＲｌとすると、式（２）の関係を満たすことが望ましい。
Ｒ＜Ｒｌ　　　　　　　　　　　　　　　　　　　　　　　　　　　　（２）
【００５５】
以上のことから、一次転写ローラ８と電源２１の間に配置する電気抵抗Ｒの値を、式（３）の関係とすることにより、ＨＨ状態における、剥離放電の抑制が可能で且つコストアップを必要としない画像形成装置を提供することが可能となる。
Ｒｈ＜Ｒ＜Ｒｌ　　　　　　　　　　　　　　　　　　　　　　　　　（３）
【００５６】
上記の説明においては、高温高湿ＨＨ状態及び低温ＬＬ低湿状態は、画像形成装置１００の使用上の上限温湿度状態及び下限温湿度状態である。
【００５７】
尚、本実施例の効果は、複数の現像手段及び像担持体を用いる所謂、インライン方式のカラー画像形成装置の一次転写システムにおいても同様の効果が得られる。
【００５８】
実施例２
本実施例では、実施例１の構成の画像形成装置において、二次転写構成に本発明を適用させた。
【００５９】
本実施例では、像担持体を、感光ドラム１からトナー像が一次転写された中間転写ベルト５とし、像担持体からトナー像が転写される転写媒体を、記録材Ｐとして、転写部材としての二次転写ローラ９を用いた二次転写構成を例にして説明する。
【００６０】
画像形成装置本体は、実施例１と同様であるため詳細説明は割愛する。
【００６１】
以下に二次転写構成の詳細について説明する。
【００６２】
二次転写ローラ９としては、一次転写ローラ８と同様のＥＰＤＭ、ウレタンゴム、ヒドリンゴム等を発泡加硫させた弾性ローラを用い、抵抗値は１×１０８Ωに調整したイオン導電性の弾性ローラを用いている。
【００６３】
又、二次転写ローラ９には、電圧印加手段である電源２２より転写バイアスが印加される。この電源２２は、実施例１における電源２１と同様の構成及び動作即ちＰＴＶＣ制御法を行なう。
【００６４】
このような、ＰＴＶＣ制御を行なうことで、二次転写において必要な電流値を、周辺環境による、二次転写ローラ９の抵抗変化によらず一定に制御することが可能となる。
【００６５】
本実施例における二次転写ローラ９は、実施例１における一次転写ローラ８と同様の構成をとっているため、図２に示す環境変動と同じ特性をもつ。
【００６６】
又、本実施例においては、中間転写ベルト５と転写材の剥離放電による画像不良を解決すべく、電源２２と二次転写ローラ９の間に電気抵抗Ｒを介した。
【００６７】
本実施例においても、実施例１と同様な検証実験を行い、同様の効果が確認でき、二次転写ローラ９においても、二次転写ローラ９のＨＨ状態における抵抗をＲｈ、ＬＬ状態における抵抗をＲｌとすると、式（４）の関係を満たす電気抵抗Ｒを二次転写ローラ９と電源２２の間に配置することで剥離放電を抑制し、これによる画像不良を防止することが可能となる。
Ｒｈ＜Ｒ＜Ｒｌ　　　　　　　　　　　　　　　　　　　　　　　　　（４）
【００６８】
尚、本発明は、図１に示した構成以外の画像形成装置、例えば、中間転写体を備えずに、感光体から直接に、搬送ベルト等の記録材担持体に担持された記録材にトナー像を転写する画像形成装置にも適用できる。その場合、像担持体は、上記のような工程を経て表面にトナー像が形成される感光体であり、像担持体からトナー像が転写される転写媒体は記録材であり、転写ローラ等が転写部材として用いられ、感光体から記録材にトナー像が転写される。こうした、中間転写体を備えない画像形成装置においては、本発明を適用することによって、剥離放電によって引き起こされる、鮫肌や水玉状の画像不良を防止する、といった効果が得られる。
【００６９】
以上に説明した画像形成装置の構成部品の寸法、材質、形状、及びその相対位置などは、特に特定的な記載がない限りは、この発明の範囲をそれらのみに限定する趣旨のものではない。
【００７０】
【発明の効果】
以上説明したように、本発明の画像形成装置は、現像剤像を担持する像担持体と、像担持体に対向する位置に設けられ、像担持体から現像剤像が転写される転写媒体と、像担持体と転写媒体との対向部に近接し、像担持体から転写媒体に現像剤像を転写する転写部材と、転写部材に転写バイアスを印加する電圧印加手段と、を有する画像形成装置において、転写部材は、周囲の温度、湿度により電気抵抗が変動する特徴をもつ弾性ローラであり、高温高湿状態での電気抵抗をＲｈ、低温低湿状態での電気抵抗をＲｌとすると、転写部材と電圧印加手段との間に、Ｒｈ＜Ｒ＜Ｒｌを満たす電気抵抗Ｒを介するので、感光ドラム等の像担持体と中間転写ベルト等の転写媒体の剥離放電を抑制し、特に高温高湿状態において転写ローラ抵抗が低下したときに発生する剥離放電を抑制することが可能となり、それに伴う画像不良をなくすことが可能となる。
【図面の簡単な説明】
【図１】本発明に係る画像形成装置を示す概略構成図である。
【図２】本発明に係る転写部材の電気抵抗値の環境依存の一例を示すグラフである。
【図３】本発明に係る転写バイアス印加機構を示す回路図である。
【図４】本発明に係る転写部材において、定電圧を印加した際の電流の波形を示す測定図である。
【図５】本発明に係る転写部材において、定電圧を印加した際の電流の波形を示す測定図である。
【図６】本発明に係る転写部材において、定電圧を印加した際の電流の波形を示す測定図である。
【図７】従来の画像形成装置の一例を示す概略構成図である。
【符号の説明】
１　　　　　　　　　　感光ドラム（感光体、像担持体）
５　　　　　　　　　　中間転写ベルト（中間転写体、転写媒体、像担持体）
８　　　　　　　　　　一次転写ローラ（転写部材）
９　　　　　　　　　　二次転写ローラ（転写部材）
２１、２２　　　　　　定電圧制御電源（電圧印加手段）
Ｐ　　　　　　　　　　記録材（転写媒体）
Ｒ　　　　　　　　　　抵抗
【図１】
2004062087.tif 000004
【図２】
2004062087.tif 000005
【図３】
2004062087.tif 000006
【図４】
2004062087.tif 000007
【図５】
2004062087.tif 000008
【図６】
2004062087.tif 000009
【図７】
2004062087.tif 000010